(57)【要約】【課題】プリーツフィルタの目詰まりを抑制して吸込力の経時的な低下を抑制できる電気掃除機を提供する。【解決手段】プリーツフィルタ125を集塵ユニット９の上部開口37よりも上側に設ける。導入口をプリーツフィルタ125の下流側に設ける。塵埃移動状態に切り換えた際に、導入口から導入した外気がプリーツフィルタ125を通過する際に全体に広がり、全体に付着した塵埃を略均一に洗浄し、集塵ユニット９の上部開口37よりも上側に設けたプリーツフィルタ125から除去した微細塵を集塵ユニット９に移動させる際に、微細塵の自重を利用して重力にて補助する。プリーツフィルタ125から除去した微細塵を、集塵ユニット９へと確実に移動してプリーツフィルタ125の目詰まりを抑制し、吸込状態に切り換えた際に第１風路212aを通過する吸込風量を確保して、吸込力の経時的な低下を抑制できる。【選択図】図１
2008167973.tif 000002
【特許請求の範囲】
【請求項１】
電動送風機を収容した掃除機本体と、
この掃除機本体に設けられた吸込口と、
この吸込口の下流側に設けられ、塵埃と空気とを分離する塵埃分離部と、
この塵埃分離部と前記電動送風機の吸込側とを連通するとともに、前記塵埃分離部により分離された塵埃が通過する主風路と、
上方に開口して前記主風路に設けられ、前記塵埃分離部により前記主風路側に分離された塵埃を捕集する集塵部と、
前記主風路と別個に前記塵埃分離部と前記電動送風機の吸込側とを連通するとともに、下流側が前記主風路と合流する副風路と、
前記主風路との合流位置よりも上流側、かつ、前記集塵部の開口よりも上側の位置となるように前記副風路に設けられ、空気に含まれる細塵を捕集するフィルタと、
このフィルタの下流側から前記副風路に外気を導入可能な導入口と、
この導入口を閉じた状態で、前記主風路と前記副風路とを介して前記電動送風機の駆動により前記吸込口から吸い込んだ塵埃を前記集塵部および前記フィルタに捕集可能な吸込状態と、前記電動送風機の駆動により前記導入口を介して前記吸込状態における前記フィルタの下流側から外気を前記副風路に導入し、前記フィルタに捕集した細塵を前記集塵部へと移動させる塵埃移動状態とに切り換える切換手段と
を具備したことを特徴とした電気掃除機。
【請求項２】
掃除機本体は、
集塵部を収容する本体ケースと、
この本体ケースに開閉可能に設けられ、閉じた状態で前記集塵部を前記本体ケースに保持する蓋体とを備え、
塵埃分離部、フィルタおよび副風路の少なくとも一部は、前記蓋体に設けられている
ことを特徴とした請求項１記載の電気掃除機。
【発明の詳細な説明】
【技術分野】
【０００１】
本発明は、主風路に設けられた集塵部と、主風路と別個の副風路に設けられたフィルタとを備えた電気掃除機に関する。
【背景技術】
【０００２】
従来、この種の電気掃除機は、電動送風機を収容した掃除機本体を備えている。この掃除機本体は、本体ケースと、この本体ケースに対して回動可能に設けられた蓋体とを備えている。本体ケースには、集塵部が電動送風機の吸込側に連通するように着脱可能に設けられており、蓋体は、回動により集塵部の上部を開閉可能に構成されている。また、蓋体には、閉じた状態で集塵部の上部に嵌着されるフィルタが設けられ、このフィルタは、集塵部から電動送風機の吸込側へと通過する空気に含まれる細塵を捕集する。さらに、フィルタには、蓋体の上部から操作されることでフィルタの表面の細塵を、フィルタを振動させて除去する塵埃除去機構が設けられている（例えば、特許文献１参照。）。
【特許文献１】実開昭５６−０３２６３７号公報（第６−７頁、第１図）
【発明の開示】
【発明が解決しようとする課題】
【０００３】
しかしながら、上述の電気掃除機では、塵埃除去機構によりフィルタを振動させて、このフィルタに捕集した細塵を自重により落下させるに過ぎず、フィルタにて捕集した細塵を集塵部へと確実に移動させることが容易でないという問題点を有している。
【０００４】
本発明は、このような点に鑑みなされたもので、フィルタの目詰まりを抑制して吸込力の経時的な低下を抑制できる電気掃除機を提供することを目的とする。
【課題を解決するための手段】
【０００５】
本発明は、掃除機本体に設けられた吸込口の下流側に設けられ、塵埃と空気とを分離する塵埃分離部と、この塵埃分離部と電動送風機の吸込側とを連通するとともに、塵埃分離部により分離された塵埃が通過する主風路と、上方に開口して主風路に設けられ、塵埃分離部により主風路側に分離された塵埃を捕集する集塵部と、主風路と別個に塵埃分離部と電動送風機の吸込側とを連通するとともに、下流側が主風路と合流する副風路と、主風路との合流位置よりも上流側、かつ、集塵部の開口よりも上側の位置となるように副風路に設けられ、空気に含まれる細塵を捕集するフィルタと、このフィルタの下流側から副風路に外気を導入可能な導入口と、この導入口を閉じた状態で、主風路と副風路とを介して電動送風機の駆動により吸込口から吸い込んだ塵埃を集塵部およびフィルタに捕集可能な吸込状態と、電動送風機の駆動により導入口を介して吸込状態におけるフィルタの下流側から外気を副風路に導入し、フィルタに捕集した細塵を集塵部へと移動させる塵埃移動状態とに切り換える切換手段とを具備したものである。
【発明の効果】
【０００６】
本発明によれば、フィルタを集塵部の開口よりも上側に設け、導入口をフィルタの下流側に設けることで、切換手段により塵埃移動状態に切り換えた際に、導入口から副風路へと導入した外気がフィルタを下流側から上流側へと通過する際にフィルタ全体に広がってフィルタ全体に付着した細塵を略均一に洗浄し、また、集塵部の開口よりも上側に設けられたフィルタに捕集した細塵の集塵部への移動を重力により補助するので、フィルタの目詰まりを抑制し、吸込状態に切り換えた際に副風路を通過する吸込風量を確保して、吸込力の経時的な低下を抑制できる。
【発明を実施するための最良の形態】
【０００７】
以下、本発明の第１の実施の形態の電気掃除機の構成を図１ないし図９を参照して説明する。
【０００８】
図７ないし図９において、１は掃除機本体であり、この掃除機本体１は、いわゆるキャニスタ型の電気掃除機である。この掃除機本体１は、本体ケース２と、この本体ケース２の上部に開閉可能に設けられた蓋体３とを有し、本体ケース２に設けられた隔壁部４の後部に、電動送風機７を収容する電動送風機室８が形成され、隔壁部４の前部に、集塵部としての主集塵部である集塵ユニット９が着脱可能に載置される集塵部取付部としての凹状のユニット取付部10が前部に形成されている。
【０００９】
本体ケース２は、前後方向に長手状に形成された下ケース11と、この下ケース11の上側に取り付けられた上ケース12とを備えている。
【００１０】
下ケース11の後側の両側部には、それぞれ大径の従動輪16(一方のみ図示)が回転自在に軸支されている。また、下ケース11の下面には、ユニット取付部10の下方にて旋回輪17が旋回自在に軸支されている。この結果、掃除機本体１は、従動輪16と旋回輪17とにより、被掃除面としての床面上を走行可能となっている。
【００１１】
上ケース12は、下ケース11の後部両側を覆い電動送風機室８の両側部、後部および上部をそれぞれ覆い、電動送風機室８の上部を区画している。また、この上ケース12の後部には、電動送風機室８の側方に収容された図示しないコードリールに巻回された電源コードを引き出し可能な引出口21が開口形成されている。さらに、この上ケース12の上部には、掃除機本体１を把持するためのハンドル22が前後方向に回動可能に取り付けられている。
【００１２】
電動送風機室８には、電動送風機７が、吸込側を前側、排気側を後側として、前後方向に沿って左右方向の中心域に配設されている。ここで、電動送風機７は、前側の外周縁部に、保持部材としてのシール部材である可撓性を有する図示しない環状のモータパッキンが嵌着され、このモータパッキンを介して電動送風機室８に嵌着されている。また、電動送風機７は、上側を図示しない被覆部材であるモータカバーにより覆われている。さらに、この電動送風機室８のモータカバーの上方には、電動送風機７などの駆動を制御する図示しない制御手段が収容されている。
【００１３】
集塵ユニット９は、外郭をなす集塵部本体としてのカップ部材31と、このカップ部材31に取り付けられる主フィルタとしての濾過フィルタである集塵袋すなわち紙パック32とを備えている。
【００１４】
カップ部材31は、前側から両側へと延設された周壁部34と、この周壁部34の下部を閉塞する下壁部35と、周壁部34の上端部から後部へと枠状に形成された上枠部36とを有し、この上枠部36により上側に上部開口37が区画されているとともに、上枠部36、周壁部34および下壁部35のそれぞれの後端部により、後部開口38が後部に区画されている。
【００１５】
上枠部36の上端部全体には、蓋体３を閉じた状態でこの蓋体３側と気密に接続するためのシール部材であるパッキン41が嵌着されている。
【００１６】
上部開口37は、紙パック32をカップ部材31に対して着脱するための開口であり、蓋体３を閉じた状態で、この蓋体３側と連通可能となっている。
【００１７】
後部開口38は、集塵ユニット９と電動送風機７の吸込側とを連通する開口である。
【００１８】
一方、紙パック32は、吸込口となる集塵袋開口としてのパック開口45が開口された口枠46と、この口枠46に取り付けられた袋体47とを備えている。
【００１９】
口枠46は、例えばボール紙などの厚紙により板状に形成され、カップ部材31に係止されている。
【００２０】
袋体47は、通気性素材である濾材を例えば複数積層して袋状に形成したもので、未使用状態で折り畳み可能となっており、カップ部材31内に収容されている。
【００２１】
蓋体３は、図１、図２、図７および図８に示すように、蓋体本体51と、この蓋体本体51の上部に設けられた蓋体カバー52と、蓋体本体51の前端部上側に連結される蓋体連結部53と、蓋体本体51の下部に嵌着された蓋体下板部54とを備えている。
【００２２】
蓋体本体51は、蓋体３の外郭をなすものであり、後部にて前方へと下方に傾斜した後部傾斜板部55と、この後部傾斜板部55の両側部に連続する側板部56(一方のみ図示)と、これら後部傾斜板部55と側板部56との間に連続する風路区画板部57と、側板部56にて風路区画板部57の前側上方に位置する区画板部58と、この区画板部58の前方および側板部56に連続する連結部取付部59とにより形成され、蓋体カバー52と後部傾斜板部55、側板部56、風路区画板部57および区画板部58との間に、フィルタ部60を収容する後方収容空間部61が区画され、側板部56、区画板部58および連結部取付部59と蓋体下板部54との間に、塵埃分離部62を収容する分離部収容空間部としての前方収容空間部63が区画されている。
【００２３】
後部傾斜板部55は、蓋体３を閉じた状態で隔壁部４の前側上方に対向するもので、上下方向の略中心域に、後方収容空間部61と連通する後部開口66が穿設され、この後部開口66の下縁部に沿って、フィルタ部60の後端部を嵌着する嵌着凹部67が断面Ｕ字状に形成されて後方すなわち隔壁部４側に突出している。
【００２４】
また、後部傾斜板部55の後部には、一対の被軸支部71(一方のみ図示)が後方へと突設され、これら被軸支部71のそれぞれの先端部が、隔壁部４の上端部に回動可能に軸支されている。この結果、蓋体３が上下方向に回動可能となっている。
【００２５】
風路区画板部57は、蓋体カバー52の下方に位置して略水平状に設けられ、フィルタ部60の下方すなわち上流側に対向している。また、この風路区画板部57の後端部近傍の下部には、当接突部73が左右方向に沿って長手状に形成されている。この当接突部73の後部には、前方へと下方に傾斜した当接傾斜面73aが形成され、蓋体３を閉じた状態で隔壁部４の前端部の一部と気密に当接するように構成されている。
【００２６】
区画板部58は、下端部が風路区画板部57に対して上方に離間されており、この風路区画板部57の前端部との間に、前方収容空間部63と後方収容空間部61とを連通する連通開口75が開口形成されている。また、区画板部58の下端部、すなわち連通開口75の上端縁部には、フィルタ部60の前端部が載置される載置段部76が後側下方に向けて傾斜状に突設されている。
【００２７】
連結部取付部59は、前側下方に向けて傾斜して形成されており、中央部に丸孔状の取付孔78が開口形成されている。
【００２８】
蓋体カバー52は、左右方向に延びる湾曲板状に形成され、蓋体本体51の後部傾斜板部55、側板部56および区画板部58のそれぞれの上端部に亘って嵌着され、後方収容空間部61の上方を覆っている。
【００２９】
蓋体連結部53は、吸込口としての丸孔状のホース接続口81を開口する円筒状の接続筒部82を中心部に有する略円筒状の連結部本体83を周方向に回転可能に有し、この連結部本体83の周縁部が、略円筒状の連結部取付部84により連結部取付部59に取り付けられている。
【００３０】
ホース接続口81は、掃除機本体１の前側上方に向けて開口しており、このホース接続口81の開口方向、すなわち接続筒部82の軸方向は、水平方向(鉛直上下方向)に対して略４５°傾斜している。
【００３１】
また、接続筒部82は、ホース接続口81を前端部に有し、後端部が筒状体86に連結されている。
【００３２】
ここで、筒状体86は、接続筒部82が挿入されて取付孔78に挿入される直線円筒状の被挿入筒部88を中心部に有し、この被挿入筒部88の外周縁部全体にフランジ部89が突設され、このフランジ部89が例えば螺子などにより連結部本体83と一体的に連結されている。
【００３３】
また、被挿入筒部88の内部には、接続筒部82の先端部が当接して位置決めされる位置決め段部91が設けられている。さらに、被挿入筒部88の外周側の先端縁部には、取付孔78の外周縁部に圧接されるシール部材としてのパッキン92が取り付けられている。したがって、ホース接続口81から取付孔78へは、接続筒部82および筒状体86を介して直線状に連通している。
【００３４】
そして、ホース接続口81には、管部としての可撓性を有するホース体94の基端部の硬質の連結管95が接続筒部82に着脱可能に挿入され、このホース体94の先端部に、手元操作部96が設けられ、この手元操作部96には、作業者が把持する把持部97が突設され、この把持部97には、作業者により電動送風機７の動作モードなどを制御手段に設定する設定ボタン98が複数設けられ、さらに、手元操作部96の先端部には、延長管99と吸込口体としての床ブラシ100とが順次連通接続される。
【００３５】
したがって、ホース体94の基端側である連結管95は、接続筒部82を有する連結部取付部84と筒状体86とにより掃除機本体１(本体ケース２)に対して周方向に回動可能に接続されている。
【００３６】
また、連結部本体83には、連結管95と電気的に接続される電線接続部103が設けられている。
【００３７】
蓋体下板部54は、蓋体３の下面をなす略平板状の下板部本体105を備え、この下板部本体105の略中央部に、蓋体３を閉じた状態で集塵ユニット９に接続される接続口106が穿設され、この接続口106の縁部全体の上部に筒状部107が突設され、また、接続口106の縁部の前後に、集塵ユニット９の紙パック32のパック開口45に挿入される挿入筒部108が取り付けられるボス109，109が突設されている。さらに、下板部本体105の上部には、蓋体本体51の風路区画板部57、側板部56および連結部取付部59のそれぞれの下端部に亘って連続するシール部材であるパッキン111が取り付けられている。そして、下板部本体105の外周縁部全体には、蓋体３を閉じた状態で集塵ユニット９のパッキン41を押圧して接続口106と集塵ユニット９とを気密に接続する当接突出部113が下方へと突設されている。
【００３８】
筒状部107は、上端部が後部から前部へと下方に傾斜して形成され、塵埃分離部62の下流端が挿入嵌合されている。また、この筒状部107の後部には、後方収容空間部61に連通する開口部115が開口形成され、この開口部115の前部には、弁体116が前後方向に回動可能に設けられている。
【００３９】
この弁体116は、開口部115を開閉するもので、外縁部が開口部115の外縁部にて筒状部107に当接するように、この開口部115よりも大きい形状に形成されている。したがって、この弁体116は、後方収容空間部61側すなわち後側からの風により押し開けられ、この風が弱くなったり前方収容空間部63側すなわち前側から風が流れようとしたりすると、自重により開口部115を閉じて、塵埃分離部62の下流側に対向して上下方向に沿って下端部が接続口106内に挿入されるように構成されている。
【００４０】
挿入筒部108は、略円筒状に形成され、外周縁部から突出フランジ部122がフランジ状に突設されている。そして、突出フランジ部122は、ボス109，109に螺子などにより係止され、これらボス109，109の外方に延びる突出フランジ部122の外周縁部には、蓋体３を閉じた状態で集塵ユニット９の紙パック32の口枠46の上面に、パック開口45の周縁部で圧接されるシール部材としてのシールパッキン123が取り付けられている。この結果、蓋体３を閉じた状態で、接続口106とパック開口45とが気密に接続可能となっている。
【００４１】
フィルタ部60は、フィルタとしてのプリーツフィルタ125と、このプリーツフィルタ125の周縁部を囲む枠状のフィルタ枠126とを有している。
【００４２】
プリーツフィルタ125は、例えば表面集塵する四フッ化エチレン(ＰＴＦＥ)などのフィルタであり、上流側を下方向に向けた状態で後方収容空間部61に配設され、例えば集塵ユニット９の紙パック32よりも細かい塵埃を上流側の面、すなわち下側面で捕集可能となっている。また、このプリーツフィルタ125は、前後方向に沿って形成された複数の山部と谷部とを左右方向に交互に有する波状に形成されている。さらに、プリーツフィルタ125は、後端部が後部開口66に臨んでおり、この後端部には、この後部開口66から突出する当接片125aが、各山部(谷部)に対応してそれぞれ取り付けられている。これら当接片125aは、例えばプラスチックなどの、プリーツフィルタ125よりも硬質の部材により形成されている。
【００４３】
フィルタ枠126は、プリーツフィルタ125に対して傾斜状に取り付けられている。すなわち、フィルタ枠126は、前端側がプリーツフィルタ125の前端部の上側寄りに位置し、後端側がプリーツフィルタ125の後端部の下側寄りに位置している。換言すれば、プリーツフィルタ125とフィルタ枠126とは互いに交差状に取り付けられている。さらに、このフィルタ枠126は、前端側が蓋体本体51の区画板部58の載置段部76上に載置され、後端側が蓋体本体51の後部傾斜板部55の嵌着凹部67上に載置されている。このため、フィルタ部60は、前側が後側に対して上方に位置するように傾斜状に後方収容空間部61内に収容されている。
【００４４】
さらに、フィルタ枠126の外周縁部全体には、区画板部58の後面、側板部56の内側面および嵌着凹部67に亘って圧接されるシール部材であるシールパッキン127が嵌着されている。
【００４５】
この結果、フィルタ部60は、集塵ユニット９の上方、すなわち上部開口37よりも上方に全体が位置し、プリーツフィルタ125が筒状部107の上端に当接している。
【００４６】
塵埃分離部62は、ホース接続口81から空気とともに吸い込んだ塵埃を空気と塵埃とに分離するもので、略円筒状に形成された分離部本体131と、この分離部本体131に取り付けられた分岐フィルタとしてのメッシュフィルタ132とを有している。また、この塵埃分離部62内には、メッシュフィルタ132の清掃用の清掃部材133が配設されている。
【００４７】
分離部本体131は、前端部が取付孔78の周囲にて蓋体連結部53の後端部に位置し、後端側へと縮径され、後端部が蓋体下板部54の筒状部107の上端部に傾斜状に挿入されて弁体116の前面に傾斜状に対向している。したがって、この分離部本体131は、接続口106に対して傾斜状、例えば略４５°傾斜して連通している。また、分離部本体131の前端側の外周縁部には、蓋体連結部53と気密に接続するためのシール部材であるパッキン135が嵌着されている。さらに、この分離部本体131の外周面には、格子状に連通孔137が穿設され、これら連通孔137が連通開口75に気密に接続されるように構成されている。
【００４８】
メッシュフィルタ132は、分離部本体131の各連通孔137を覆って取り付けられ、これら連通孔137を通過する空気に含まれる塵埃を捕集可能となっている。
【００４９】
そして、塵埃分離部62は、電動送風機７の駆動によりホース接続口81から空気とともに吸い込んだ塵埃のうち、比較的重量が大きい粗塵に慣性を与え、分離部本体131の上流側から下流側へと傾斜直線状に分離するとともに、空気を連通孔137側へと傾斜状に分離する。
【００５０】
清掃部材133は、図１ないし図３に示すように、環状の連結部141と、この連結部141から突設された複数、例えば２つの清掃部142，142とを有し、これら清掃部142のそれぞれに、ブラシ体143が取り付けられている。
【００５１】
連結部141は、外周部が、分離部本体131の連通孔137よりも前端側にてこの分離部本体131の内周縁部に対向し、内周部が、前側上方に位置する筒状体86の後端部である下流側の端部の内周部と略同径に形成されている。すなわち、連結部141は、塵埃分離部62を連通孔137および筒状部107へと通過する空気と交差しない位置に配設されている。また、この連結部141の内周側には、筒状体86の内周縁部に設けられた連結ボス145，145に対して螺子などにより連結される連結孔146，146が互いに対向する位置に穿設されている。したがって、清掃部材133は、筒状体86と一体的に周方向に回動可能に構成されている。
【００５２】
清掃部142，142は、連結孔146，146と交差する位置にて互いに対向するように連結部141の内周側から下流側である後側へとそれぞれ先端側が遊端状となるように突設されている。したがって、清掃部材133には、下流側において、塵埃分離部62を通過する空気と交差する連結部分が形成されていない。また、各清掃部142は、連結部141の内周縁部からこの連結部141の軸方向に沿って形成された平面部142aと、この平面部142aの先端部で中心軸側に若干突出した突出部142bと、この突出部142bから連結部141に亘って、塵埃分離部62の分離部本体131の内周側に対向し、この分離部本体131の縮径形状に対応して傾斜した傾斜部142cとを有し、分離部本体131の連通孔137に対向する位置まで延設されている。そして、傾斜部142cには、ブラシ体143を嵌着するブラシ体取付凹部142dが設けられている。
【００５３】
ブラシ体143は、ブラシ体取付凹部142dに嵌着される図示しないブラシ体基部にブラシ毛143aが多数植毛されて構成されている。したがって、ブラシ体143は、ブラシ毛143aの先端側がメッシュフィルタ132に接触するように構成されている。また、ブラシ毛143aは、先端側が下流側である後側へと傾斜している。
【００５４】
そして、図１、図２、図７および図８に示すように、隔壁部４は、隔壁体151と、この隔壁体151に取り付けられた駆動機構152とを有している。
【００５５】
隔壁体151は、上下方向に沿って板状の隔壁本体154と、この隔壁本体154の上下方向の中間部よりも若干上側にて前方へと突設された区画板部としての上方突設板部155と、隔壁本体154の下端部から前方へと突設された下方突設板部156と、隔壁本体154、上方突設板部155および下方突設板部156の両側部に連続する側部連続板部157とを有し、隔壁本体154、上方突設板部155および側部連続板部157により、上方空間部158が区画されているとともに、隔壁本体154、上方突設板部155、側部連続板部157および下方突設板部156により、下方空間部159が区画されている。
【００５６】
隔壁本体154の略中央部には、上方突設板部155の下方にて、下方空間部159と電動送風機室８とを連通する丸孔状の吸込開口161が穿設されており、この吸込開口161の周縁部全体の後部には、筒状の連結筒部162が突設され、この連結筒部162の後端部が電動送風機７の吸込側に連通接続されている。
【００５７】
また、隔壁本体154の上端部には、蓋体３の一対の被軸支部71(一方のみ図示)を回動可能に軸支する一対の回動保持部164(一方のみ図示)が後方に突設されている。さらに、隔壁本体154の回動保持部164の若干下方である上方突設板部155の上方には、上方空間部158と電動送風機室８とを連通する導入口165が穿設され、この導入口165の後部には、この導入口165を開閉可能な開閉弁166が取り付けられている。
【００５８】
ここで、開閉弁166は、導入口165よりも大きい板状の開閉弁体168と、この開閉弁体168を前後方向に回動可能に軸支する軸支部材169とを備えている。
【００５９】
軸支部材169は、開閉弁体168の各側部に先端部が回動可能に連結される連結軸支部169a，169aと、開閉弁体168の下方で連結軸支部169a，169aの基端部間に連続した連続部169bとを有している。そして、この連続部169bの前端側の両側部が、導入口165の下方にて隔壁本体154の後面に設けられた軸支板171(一方のみ図示)にそれぞれ回動可能に軸支され、この連続部169bの後端部が、後方に突出して駆動機構152に接続されて、この駆動機構152により開閉弁166が開閉するように構成されている。
【００６０】
上方突設板部155は、集塵ユニット９のカップ部材31の後部開口38の上縁部である上枠部36の後端部に前端部が対向している。また、上方突設板部155には、上方空間部158と下方空間部159とを連通する通過開口としての空間連通開口173が穿設され、この空間連通開口173は、前後方向に沿う複数の支持リブ174により、左右方向に複数に分割されている。さらに、上方突設板部155の上部には、空間連通開口173を開閉する板状の開口開閉弁175が取り付けられている。
【００６１】
開口開閉弁175は、後端部が上方突設板部155の上部に回動可能に軸支され、上方空間部158内で上下方向へと回動可能となっている。また、この開口開閉弁175の下部には、連結突部176が突設されて空間連通開口173内に挿入され、駆動機構152に連結されている。このため、開口開閉弁175は、駆動機構152により開閉するように構成されている。
【００６２】
下方突設板部156は、集塵ユニット９のカップ部材31の後部開口38の下縁部である下壁部35の後端部に対向している。
【００６３】
上方空間部158は、隔壁本体154の上部の前端部から、側部連続板部157および上方突設板部155の前端部に亘ってシール部材としてのシールパッキン177が枠状に取り付けられ、このシールパッキン177が、蓋体３を閉じた状態で後部傾斜板部55に圧接されることで、フィルタ部60の下流側に気密に接続される空間部である。また、この上方空間部158内には、プリーツフィルタ125の当接片125aを弾くことでプリーツフィルタ125に振動を与えてこのプリーツフィルタ125に捕集した塵埃を除去する塵埃除去機構としての塵落とし部178が配設されているとともに、この塵落とし部178の前側を覆ってカバー体179が配設されている。
【００６４】
ここで、塵落とし部178は、塵埃除去機構本体としての横長の塵落とし部本体181を備え、この塵落とし部本体181の後部下側に、左右方向に沿って形成されたラック状のギヤ部182が左右方向に摺動可能に取り付けられている。
【００６５】
ギヤ部182は、図４に示すように、開閉弁体168の前方に位置している。また、このギヤ部182の上方には、塵埃除去体である一対の塵落とし体184(一方のみ図示)が設けられ、これら塵落とし体184が、塵落とし部本体181に左右方向に沿って長孔状に形成された挿通孔185，185に挿通されている。
【００６６】
ここで、各塵落とし体184は、側面視で略Ｌ字状に形成され、前端部が各挿通孔185から前方へ突出して上方へと屈曲され、プリーツフィルタ125の谷部間に位置している。また、各塵落とし体184の基端部は、左右方向に沿って形成された図示しないガイド部材が挿通されている。この結果、各塵落とし体184は、ギヤ部182と一体的に、各挿通孔185内で左右に摺動して、図１、図２、図７および図８に示すプリーツフィルタ125の当接片125aを順次乗り越えて弾くことで、プリーツフィルタ125に振動を与えて、このプリーツフィルタ125で捕集した塵埃を除去可能に構成されている。
【００６７】
また、カバー体179は、隔壁本体154の前面に取り付けられて塵落とし部178とプリーツフィルタ125の後部との間に位置し、塵落とし部本体181の各挿通孔185，185の前方が露出する露出孔部187が左右方向に長手状に形成されている。
【００６８】
また、下方空間部159には、格子部材201が前端部に取り付けられており、この格子部材201の前端部に亘ってシール部材としてのシールパッキン202が枠状に取り付けられ、集塵ユニット９を本体ケース２のユニット取付部10に取り付けた状態でシールパッキン202が、集塵ユニット９の後部開口38の後端縁部に圧接されることで、集塵ユニット９の下流側と気密に接続される空間部である。さらに、この下方空間部159には、駆動機構152の一部が収容されている。
【００６９】
格子部材201は、複数の孔部204が格子状に穿設された平板状の格子部材本体205を備え、この格子部材本体205の外縁部全体に亘って枠状の格子部材突出部206が前方へと突設されている。そして、この格子部材201は、下方空間部159において前側に位置している。また、この格子部材201の前部には、図示しないフィルタが着脱可能に保持されている。
【００７０】
格子部材本体205は、集塵ユニット９の後部開口38に対向する部分である。
【００７１】
また、格子部材突出部206の前端側の外周部には、シールパッキン202が取り付けられている。さらに、格子部材突出部206の内側には、フィルタを保持する複数の保持爪部207が設けられている。
【００７２】
そして、上記構成により、筒状部107、集塵ユニット９(紙パック32の袋体47)、下方空間部159および吸込開口161を経て塵埃分離部62と電動送風機７の吸込側とを連通する主風路211が形成されているとともに、連通孔137(メッシュフィルタ132)、後方収容空間部61(プリーツフィルタ125)、上方空間部158および空間連通開口173を介して下方空間部159にて主風路211に合流し、かつ、吸込開口161を経て塵埃分離部62と電動送風機７の吸込側とを主風路211とは別個に連通する第１風路212aと、上方空間部158、後方収容空間部61(プリーツフィルタ125)、開口部115、筒状部107、集塵ユニット９(紙パック32の袋体47)、下方空間部159および吸込開口161を経て導入口165と電動送風機７の吸込側とを連通する第２風路212bとを有する副風路212が形成されている。
【００７３】
したがって、副風路212は、その一部をなす後方収容空間部61が蓋体３に設けられている。また、プリーツフィルタ125は、主風路211との合流位置よりも上流側、かつ、集塵ユニット９の上部開口37(パック開口45)よりも上側の位置となるように副風路212に設けられている。
【００７４】
さらに、駆動機構152は、図４ないし図８に示すように、隔壁本体154の後部に駆動源となるモータ214を備え、このモータ214の前方に突出した回転軸にギヤ215が設けられている。
【００７５】
ギヤ215は、前側の一側にて回動ギヤ221と歯合するとともに、後側の一側上方にて円形状のクランクギヤ222と歯合している。
【００７６】
回動ギヤ221は、例えば中心角が１８０°の扇形、すなわち半円形状に形成され、弧部がギヤ215に歯合している。また、この回動ギヤ221は、回動軸221aの前端部が隔壁本体154の後部に回動可能に軸支されているとともに、この前端部が、隔壁本体154の前部に位置する前部回動ギヤ224に接続されている。また、回動ギヤ221の後部には、回動軸221aに対して回動ギヤ221から突出する方向に偏心した位置に挿通軸221bが突設され、この挿通軸221bが開閉弁166を駆動させる開閉弁駆動体225に挿通されている。
【００７７】
前部回動ギヤ224は、隔壁本体154の前側すなわち下方空間部159に位置し、回動ギヤ221と同様の半円形状に形成され、回動ギヤ221に対して所定の角度、例えば略９０°交差した状態を保ちながら回動ギヤ221と一体に回転可能となっている。また、この前部回動ギヤ224は、上方に位置する前部クランクギヤ227に歯合されている。
【００７８】
この前部クランクギヤ227は、円形状のギヤであり、下方空間部159に位置し、隔壁本体154に回動可能に軸支されている。そして、この前部クランクギヤ227の外周縁部近傍には、クランク突部227aが前方へと突設されており、このクランク突部227aが、開口開閉弁175を回動させる回動連結部材229に挿通されている。
【００７９】
この回動連結部材229は、上下に長手状に形成され、上側と下側とに、ガイド孔部229a，229aが上下方向に沿って長孔状に穿設されているとともに、上下方向の略中心域に、クランク突部227aが挿通されるクランク孔部229bがガイド孔部229a，229aと交差する方向である左右方向に長手状に穿設されている。また、回動連結部材229の上端部には、開口開閉弁175の連結突部176が挿通される連結孔部229cを前後方向に長孔状に備えた連結突出部229dが設けられている。そして、ガイド孔部229a，229aには、隔壁本体154から突設された図示しないガイド突部が挿通され、前部クランクギヤ227の回動により回動連結部材229が上下方向に案内されるように構成されている。
【００８０】
開閉弁駆動体225は、回動ギヤ221の挿通軸221bが挿通される連結ガイド孔部225aを備えた駆動体水平部225bと、この駆動体水平部225bの先端から上方へと延設された駆動体垂直部225cとにより、略Ｌ字状に形成され、この駆動体垂直部225cの上端部が開閉弁166を軸支する軸支部材169の連続部169bの一端部に回動可能に軸支されているとともに、駆動体垂直部225cには上下方向に沿って長孔状のガイド用孔部225d，225dが穿設されている。
【００８１】
連結ガイド孔部225aは、横長の略円弧状に形成され、駆動体水平部225bに対して正面視でへ字状に屈曲している。
【００８２】
そして、ガイド用孔部225d，225dには、隔壁本体154から突設されたガイド突部231，231が挿通され、回動ギヤ221の回動により開閉弁駆動体225が上下方向に案内されるように構成されている。
【００８３】
一方、クランクギヤ222は、後部の半周に亘ってカム部235が一体に設けられ、このカム部235が、ギヤ215の側方に配設されたスイッチ236のスイッチ片236aに当接することで、このスイッチ236のオンオフを切り換え可能に構成されている。さらに、クランクギヤ222の後部には、外周縁部近傍に長手状のリンケージ237の下端部が回動可能に連結され、このリンケージ237の上端部が、上下方向に長手状のラックギヤ238の下端部に回動可能に連結されている。そして、このラックギヤ238は、隔壁本体154の後部に取り付けられたガイド部材239に上下方向に摺動すなわちスライド可能に保持されている。
【００８４】
したがって、ラックギヤ238は、クランクギヤ222の回動によりリンケージ237を介して上下方向に往復動可能となっている。
【００８５】
さらに、ラックギヤ238には、ガイド部材239に回動可能に軸支されたギヤ241が歯合され、このギヤ241には、ガイド部材239の前部に位置する大径のギヤ242が同軸に設けられて一体に回動可能となっている。さらに、このギヤ242は、このギヤ242の上方に位置する上部ギヤ243と歯合され、この上部ギヤ243は、隔壁本体154の前部にて上方空間部158内に位置し塵落とし部178のギヤ部182に歯合する前部ギヤ244と同軸に設けられて一体に回動可能となっている。
【００８６】
そして、駆動機構152、弁体116、開閉弁166および開口開閉弁175などにより、導入口165を閉じた状態で、主風路211と第１風路212aとを介して電動送風機７の駆動によりホース接続口81から吸い込んだ塵埃を集塵ユニット９およびフィルタ部60のプリーツフィルタ125に捕集可能な吸込状態(掃除状態)と、電動送風機７の駆動により導入口165を介して吸込状態でのプリーツフィルタ125の下流側から外気を副風路212に導入し、プリーツフィルタ125に捕集した塵埃を集塵ユニット９へと第２風路212bを介して移動させる塵埃移動状態(エア洗浄状態)とに切り換える切換手段248が構成されている。
【００８７】
なお、以下、外気とは、副風路212の外部に位置する空気をいい、必ずしも掃除機本体１の外部の空気をいうものではない。
【００８８】
次に、上記第１の実施の形態の動作を説明する。
【００８９】
まず、掃除を開始する際には、蓋体３を開き、紙パック32を取り付けた集塵ユニット９をユニット取付部10に取り付ける。
【００９０】
この後、蓋体３を閉じると、蓋体３の挿入筒部108がパック開口45に挿入され、蓋体３の当接突出部113がパッキン41を上側から押圧して潰すとともに、蓋体３のパッキン111が紙パック32の口枠46にてパック開口45の周囲に圧接されることで、蓋体３側と本体ケース２側とが気密に接続されて集塵ユニット９が本体ケース２に保持され、かつ、蓋体３の後部傾斜板部55および当接突部73の当接傾斜面73aがシールパッキン177に圧接され、後方収容空間部61と上方空間部158とが気密に接続される。
【００９１】
そして、作業者は、蓋体３のホース接続口81にホース体94の基端側である連結管95を挿入して接続するとともに、このホース体94の先端側に延長管99および床ブラシ100を順次連通接続する。
【００９２】
このとき、ホース体94の連結管95がホース接続口81を介して接続筒部82内へと直線状に挿入され、連結部本体83および筒状体86により本体ケース２に対して回動可能に接続される。
【００９３】
そして、作業者が設定ボタン98により電動送風機７の動作モードを設定して電気掃除機の運転を開始すると、制御手段がモータ214を介して駆動機構152を動作させ、電動送風機７を設定された動作モードで駆動させる。
【００９４】
具体的に、図６(b)に示す状態から、図４に示す時計回り方向にモータ214が回動すると、ギヤ215が回動し、このギヤ215に歯合されている回動ギヤ221が下方向へと最大で約１８０°回動し、この回動ギヤ221の回動に伴い、前部回動ギヤ224が下方向に回動し、この前部回動ギヤ224に歯合する前部クランクギヤ227が回動することで、図６(a)に示すように、回動連結部材229が上方へと移動し、この回動連結部材229の上端部に連結された開口開閉弁175の前端側が上方へと回動して空間連通開口173を開く。
【００９５】
同時に、回動ギヤ221の回動に伴い、この回動ギヤ221の挿通軸221bは、連結ガイド孔部225a内を右端から左端へと移動し、この移動の際に連結ガイド孔部225a内の上部に摺接することで、開閉弁駆動体225を上方へと押し上げ、開閉弁166の軸支部材169を介して開閉弁体168を上方へと押し上げて、この開閉弁体168が導入口165を閉塞する。
【００９６】
この結果、切換手段248により、図１に示すように、主風路211と第１副風路212aとが電動送風機７の吸込側に連通する吸込状態に切り換えられる。
【００９７】
また、ギヤ215に歯合されているクランクギヤ222が回動することで、リンケージ237を介してラックギヤ238が上下方向に往復動し、ラックギヤに歯合するギヤ241が回動し、このギヤ241と同軸にギヤ242が回動し、このギヤ242に歯合する上部ギヤ243が回動し、この上部ギヤ243と一体的に前部ギヤ244が回動することで、この前部ギヤ244が歯合する塵落とし部178のギヤ部182が、塵落とし体184とともにガイド部材に沿って左右方向に往復動し、これら塵落とし体184がプリーツフィルタ125の当接片125aを順次弾いてプリーツフィルタ125に振動を与えて、このプリーツフィルタ125に付着した塵埃を除去する。
【００９８】
この除去された塵埃は、風路区画板部57上に落下する。
【００９９】
そして、ギヤ215が最大まで回動すると、カム部235が押し込んだスイッチ236のスイッチ片236aが復帰することで、制御手段がモータ214を停止させる。
【０１００】
作業者は、電動送風機７の駆動による負圧の作用によって、床ブラシ100の先端側から空気とともに塵埃を吸い込む。この吸い込んだ塵埃は、空気とともに延長管99およびホース体94を経てホース接続口81へと吸い込まれる。
【０１０１】
ここで、吸い込んだ塵埃の大部分である粗塵は、空気により慣性が与えられ、接続筒部82および筒状体86を直進した後、塵埃分離部62を通過し、弁体116により整流されてホース接続口81の開口方向である接続筒部82の軸方向に対して例えば４５°である略鉛直方向へと分離され、接続口106から挿入筒部108を通過して、パック開口45から集塵ユニット９内の紙パック32へと吸い込まれる。
【０１０２】
また、この粗塵とともに紙パック32へと吸い込まれた空気は、紙パック32の袋体47を通過する際に、含まれる細塵が捕集され、集塵ユニット９のカップ部材31の後部開口38を通過し、格子部材201に保持されたフィルタを通過して、下方空間部159へと流入した後、吸込開口161を介して電動送風機７の吸込側へと吸い込まれる。
【０１０３】
さらに、塵埃とともに吸い込まれ塵埃分離部62にて分離された空気の残りは、ホース接続口81の開口方向である接続筒部82の軸方向に対して粗塵と略等しい角度、接続筒部82の軸方向に対して例えば４５°である略水平方向へと塵埃分離部62にて分離されて連通孔137を通過し、この通過の際に、含まれる細塵がメッシュフィルタ132により捕集されるとともに、第１風路212aを通過する際に、風路区画板部57上に落下した細塵である微細塵とともに、メッシュフィルタ132により捕集しなかった微細塵がプリーツフィルタ125によりさらに捕集され、プリーツフィルタ125を通過した後、上方空間部158に流入し、空間連通開口173から下方空間部159へと流入して主風路211と合流しつつ吸込開口161を介して電動送風機７へと吸い込まれる。
【０１０４】
電動送風機７へと吸い込まれた空気は、この電動送風機７を通過して排気風となり、この電動送風機７から排気孔を介して本体ケース２の外部へと排気される。
【０１０５】
また、上記掃除作業中には、作業者が床ブラシ100を床面上の任意の地点で走行させることにより、作業者が掃除機本体１に対して位置を変えると、ホース体94の連結管95が連結部本体83および筒状体86とともに周方向に回動することで、筒状体86に連結された清掃部材133が周方向に回動して、ブラシ体143のブラシ毛143aがメッシュフィルタ132の内面すなわち上流側面に付着した塵埃を順次自動的に掻き取る。
【０１０６】
そして、掃除を終了する際には、作業者が設定ボタン98により電動送風機７の動作モードを停止モードとすると、制御手段がモータ214を介して駆動機構152を動作させる。
【０１０７】
具体的に、上記電気掃除機の運転開始時と逆の動作により、開口開閉弁175の前端側が下方へと回動して空間連通開口173を閉じるとともに、回動ギヤ221の回動に伴い、図６(a)に示す状態から、挿通軸221bが連結ガイド孔部225a内で左端から右端へと移動して回動ギヤ221が最大回動角度に達する前に右端に嵌合するとともに、さらに回動ギヤ221が最大角度まで回動する際に、連結ガイド孔部225aの右端に嵌合した挿通軸221bが下方に移動することで、図６(b)に示すように、開閉弁駆動体225が下方へと押し下げられ、この開閉弁駆動体225に連結された軸支部材169が下方へと移動することで、図２に示すように、開閉弁体168が上下方向に略垂直となる状態を保ちながら導入口165の後方へと離間されて、この導入口165が開き、切換手段248により、第２風路212bが集塵ユニット９の上流側に連通し、この集塵ユニット９を介して電動送風機７の吸込側に連通する塵埃移動状態に切り換えられる。
【０１０８】
また、クランクギヤ222側では、電気掃除機の運転開始時と逆の動作により、塵落とし部178の塵落とし体184がプリーツフィルタ125に振動を与えて、このプリーツフィルタ125に付着した塵埃を除去する。
【０１０９】
この塵埃移動状態で、電動送風機７の駆動により、導入口165から本体ケース２内に導入された外気は、プリーツフィルタ125を下流側から上流側へと、すなわち逆洗方向へと通過することで、このプリーツフィルタ125にて捕集した微細塵を除去するとともに、この外気により、風路区画板部57上に落下した微細塵が、弁体116により整流されつつ開口部115から接続口106および挿入筒部108を通過して、パック開口45から集塵ユニット９内の紙パック32へと吸い込まれ、後部開口38、下方空間部159および吸込開口161を介して電動送風機７の吸込側へと吸い込まれる。
【０１１０】
また、外気の一部は、プリーツフィルタ125の前方から連通孔137を介して分離部本体131内へと流入することでメッシュフィルタ132を逆洗し、このメッシュフィルタ132に付着した塵埃を、開口部115から接続口106および挿入筒部108を通過して、パック開口45から集塵ユニット９内の紙パック32へと移動させる。
【０１１１】
そして、制御手段は、ギヤ215が略半周した際にカム部235によりスイッチ片236aが押し込まれることで発生するスイッチ236からの信号によりモータ214を停止させた後、電動送風機７を停止させる。
【０１１２】
このように、上記第１の実施の形態によれば、プリーツフィルタ125を集塵ユニット９の上部開口37(パック開口45)よりも上側に設け、導入口165をプリーツフィルタ125の下流側、すなわち電動送風機７の吸込側に設けることにより、塵埃移動状態に切り換えた際に、導入口165から導入した外気がプリーツフィルタ125を下流側から通過して逆洗するので、この通過の際に外気が平均化されて全体に広がってプリーツフィルタ125全体に付着した塵埃を略均一に洗浄し、また、集塵ユニット９の上部開口37(パック開口45)よりも上側に設けられたプリーツフィルタ125に捕集されこのプリーツフィルタ125から除去された微細塵を電動送風機７の負圧により集塵ユニット９に移動させる際に、微細塵の自重を利用して重力にて補助するので、プリーツフィルタ125に捕集されこのプリーツフィルタ125から除去された微細塵を、集塵ユニット９へと確実に移動してプリーツフィルタ125の目詰まりを抑制でき、吸込状態に切り換えた際に第１風路212a側を通過する吸込風量を確保して、吸込力の経時的な低下を抑制できる。
【０１１３】
特に、プリーツフィルタ125を表面集塵フィルタとすることで、プリーツフィルタ125内に塵埃が殆ど入り込むことがなく、プリーツフィルタ125で捕集した塵埃を、導入口165から導入した外気により、確実に除去できる。
【０１１４】
また、ホース体94の連結管95の本体ケース２に対する周方向への回動可能により清掃部材133が回動してメッシュフィルタ132に捕集した塵埃を除去するので、掃除動作中のホース体94の動きに伴う連結管95の回動によりメッシュフィルタ132を自動的に掃除できるので、メッシュフィルタ132のメンテナンス性が向上し、このメッシュフィルタ132の目詰まりを抑制することで、主風路211の紙パック32にて捕集する塵埃量が増加して主風路211の風路抵抗が大きくなった際に副風路212の第１風路212aを通過する空気の風量を確保して、経時的な吸込力の低下を抑制できる。
【０１１５】
具体的に、清掃部材133を、メッシュフィルタ132の上流側に位置して連結管95に連結される連結部141と、この連結部141からメッシュフィルタ132の下流側へと遊端状にそれぞれ突設された複数の清掃部142とで構成することで、電動送風機７の駆動により吸い込まれた空気と交差する部分が清掃部材133に形成されないので、この空気とともに吸い込んだ塵埃が清掃部材133に塵埃が引っ掛からず、清掃部材133による集塵効率の低下を防止できる。
【０１１６】
さらに、清掃部142のブラシ体143のブラシ毛143aの毛先を下流方向へと傾斜させることにより、吸い込んだ塵埃、あるいはメッシュフィルタ132から掻き取った塵埃がブラシ体143に引っ掛かりにくくなるとともに、これら塵埃が、吸い込んだ空気によりブラシ毛143aに沿って流れて集塵ユニット９の紙パック32に捕集され、ブラシ毛143aに塵埃が必要以上に溜まることがなく、清掃部142によるメッシュフィルタ132からの塵埃の除去効率の低下を防止できる。
【０１１７】
そして、塵落とし部178を設けることで、プリーツフィルタ125で捕集した塵埃を、より確実に除去できる。
【０１１８】
また、プリーツフィルタ125の上流側を下方に向けて配設することで、プリーツフィルタの上流側を前方に向けて配設する場合と比較して、上下方向に幅を取らず、全体を小型化できるとともに、塵落とし部178により除去された微細塵が後方収容空間部61内にて風路区画板部57上に溜まるから、この微細塵を、塵埃移動状態で容易に集塵ユニット９へと移動できる。
【０１１９】
さらに、塵埃分離部62、プリーツフィルタ125および副風路212の一部である後方収容空間部61などを蓋体３に設けることで、蓋体３を開いた状態で集塵ユニット９を上部に露出させることが可能となり、集塵ユニット９のメンテナンス性が向上する。
【０１２０】
そして、吸込状態では、塵埃分離部62を通過した粗塵を集塵ユニット９へと整流し、塵埃移動状態では、微細塵を集塵ユニット９へと整流する弁体116を設けることで、粗塵および微細塵を効率よく、かつ、確実に集塵ユニット９の紙パック32へと捕集できる。
【０１２１】
また、切換手段248が、開閉弁116と開口開閉弁175とを１つのモータ214で連動させて開閉することで吸込状態と塵埃移動状態とを切り換えることにより、複数のモータなどを用いて開閉する場合と比較して構成を簡略化、省スペース化および軽量化でき、電気掃除機の小型化などを図ることが可能になる。
【０１２２】
さらに、開閉弁166と開閉弁体168とを連動させて開閉するためのモータ214により塵落とし部178を連動させることで、構成を簡略化しつつ、プリーツフィルタ125にて捕集した塵埃を、より確実に除去でき、プリーツフィルタ125の目詰まりを防止できる。
【０１２３】
次に、第２の実施の形態を図１０を参照して説明する。
【０１２４】
この第２の実施の形態は、電気掃除機がアップライト型のものである。
【０１２５】
すなわち、掃除機本体１は、上下方向に長手状に形成され、上部にユニット取付部10が区画され、下部に電動送風機室８が区画されているとともに、ユニット取付部10の上方に、上下方向に回動可能に蓋体３が設けられている。この蓋体３内の各構成、電動送風機室８およびユニット取付部10などは、上記第１の実施の形態と基本的に同様であるので、省略する。
【０１２６】
また、掃除機本体１の下部には、床ブラシ100が一体的に設けられており、この床ブラシ100の下流側が、掃除機本体１の後部において、延長管99の下端部と着脱可能となっている。この延長管99は、掃除機本体１の後部に対して床ブラシ100よりも上方の位置で保持されるように構成されている。
【０１２７】
さらに、掃除機本体１の内部には、隔壁部４の後部にて、電動送風機室８へと屈曲したダクト251が形成され、このダクト251の下流側が電動送風機７の吸込側に気密に接続されている。
【０１２８】
そして、切換手段248により吸込状態に切り換えられた場合では、電動送風機７の駆動により床ブラシ100から吸い込まれた塵埃が、延長管99およびホース体94を介してホース接続口81から塵埃分離部62へと吸い込まれ、上記第１の実施の形態と同様の作用により、集塵ユニット９の紙パック32およびプリーツフィルタ125に捕集され、切換手段248により塵埃移動状態に切り換えられた場合では、塵落とし部178の駆動などによりプリーツフィルタ125から除去された微細塵が、電動送風機７の駆動により導入口165から副風路212へと導入された外気により集塵ユニット９の紙パック32へと移動されるなど、上記第１の実施の形態と同様の作用効果を奏することができる。
【０１２９】
なお、上記各実施の形態において、清掃部材133は、連結管95の回動によりメッシュフィルタ132から塵埃を除去できれば、上記構成に限定されるものではない。
【０１３０】
また、切換手段248を動作させるタイミングは、電気掃除機の運転開始時、あるいは終了時以外でも、例えば電気掃除機の運転開始から所定時間経過した際など、任意に設定できる。
【０１３１】
さらに、塵落とし部178および切換手段248などは、上記構成に限定されるものではない。
【０１３２】
そして、塵落とし部178を設けない構成としても、プリーツフィルタ125に捕集した塵埃は、導入口165から導入された外気により確実に除去できるとともに、電気掃除機の構成をより簡略化できる。
【０１３３】
また、上記各実施の形態では、集塵ユニット９の上部開口37(パック開口45)を直接主風路211内において上方に開口させ、塵埃移動状態の際、運ばれてきた細塵をこの上部開口37(パック開口45)から直接集塵ユニット９の紙パック32内に捕集する構成としたが、この構成に限定されるものではない。例えば、集塵ユニット９の開口自体は上方以外の方向に開口させていたとしても、この開口に連通部材を接続し、この連通部材の一部を主風路211内において上方に開口させ、塵埃移動状態の際、細塵をこの連通部材の開口を通過させて集塵ユニット９の紙パック32内に運ぶ構成などとしてもよい。
【０１３４】
さらに、電気掃除機の細部は、上記構成に限定されるものではなく、電気掃除機としては、キャニスタ型およびアップライト型に限らず、例えば自律走行式(ロボット式)の電気掃除機、あるいはハンディ型などでも、対応させて用いることができる。
【図面の簡単な説明】
【０１３５】
【図１】本発明の第１の実施の形態の電気掃除機の吸込状態での一部を示す斜視断面図である。
【図２】同上電気掃除機の塵埃移動状態での一部を示す斜視断面図である。
【図３】同上電気掃除機の清掃部材を下方から示す斜視図である。
【図４】同上電気掃除機の一部を前方から示す斜視図である。
【図５】同上電気掃除機の一部を後方から示す斜視図である。
【図６】(a)は同上電気掃除機の吸込状態での切換手段の一部を示す平面図、(b)は同上電気掃除機の塵埃移動状態での切換手段の一部を示す平面図である。
【図７】同上電気掃除機の吸込状態を示す縦断面図である。
【図８】同上電気掃除機の塵埃移動状態を示す縦断面図である。
【図９】同上電気掃除機を示す斜視図である。
【図１０】本発明の第２の実施の形態の電気掃除機を示す説明断面図である。
【符号の説明】
【０１３６】
１    掃除機本体
２    本体ケース
３    蓋体
７    電動送風機
９    集塵部としての集塵ユニット
62    塵埃分離部
81    吸込口としてのホース接続口
125   フィルタとしてのプリーツフィルタ
165   導入口
211   主風路
212   副風路
248   切換手段
【図１】
2008167973.tif 000003
【図２】
2008167973.tif 000004
【図３】
2008167973.tif 000005
【図４】
2008167973.tif 000006
【図５】
2008167973.tif 000007
【図６】
2008167973.tif 000008
【図７】
2008167973.tif 000009
【図８】
2008167973.tif 000010
【図９】
2008167973.tif 000011
【図１０】
2008167973.tif 000012